(57)【要約】【課題】  タッチパネルを有する入力装置での誤入力の発生を減らす。【解決手段】  ガイドカバー１は、表示装置の画面上に配置されるタッチパネルに対して着脱可能であって、操作パネルは、タッチパネルと接合部とを有する。そして、ガイドカバー１は、ガイド切欠部２１を形成されたプレート部１１と、プレート部１１から延びる脚部１２とを有する。そして、ガイドカバー１の脚部１２が操作パネルの接合部に接合することで、ガイド切欠部２１が表示装置の画面の所定位置に配置される。【選択図】  図１
2015153263.tif 000002
【特許請求の範囲】
【請求項１】
表示装置の画面上に配置されるタッチパネルに対して着脱可能なガイドカバーと、
前記タッチパネルと接合部とを有する操作パネルとを備え、
前記ガイドカバーは、ガイド切欠部を形成されたプレート部と、前記プレート部から延びる脚部とを有し、
前記ガイドカバーの前記脚部が前記操作パネルの接合部に接合することで、前記ガイド切欠部が前記表示装置の画面の所定位置に配置されること、
を特徴とする電子機器。
【請求項２】
前記タッチパネルは、静電方式のタッチパネルであり、
前記ガイドカバーの前記プレート部および前記脚部は、導電性材料で構成され、
前記操作パネルの前記接合部は、接地電位に接続されていること、
を特徴とする請求項１記載の電子機器。
【請求項３】
前記タッチパネルは、抵抗膜方式のタッチパネルであり、
前記ガイドカバーの前記プレート部および前記脚部は、セラミック材料で一体的に構成され、
前記ガイドカバーの前記脚部が前記操作パネルの接合部に接合することで、前記ガイド切欠部が前記表示装置の画面の所定位置における画面上方に配置されること、
を特徴とする請求項１記載の電子機器。
【請求項４】
前記表示装置の画面モードを切り替えるコントローラーと、
前記ガイドカバーの前記脚部が前記操作パネルの接合部に接合したことを検出するカバー検出部とをさらに備え、
前記コントローラーは、前記カバー検出部により前記脚部が前記操作パネルの接合部に接合したが検出されている期間は、第１の画面モードを選択し、前記カバー検出部により前記脚部が前記操作パネルの接合部に接合したが検出されていない期間は、第２の画面モードを選択すること、
を特徴とする請求項１から請求項３のうちのいずれか１項記載の電子機器。
【請求項５】
表示装置の画面上に配置されるタッチパネルに対して着脱可能なガイドカバーであって、
ガイド切欠部を形成されたプレート部と、
前記プレート部から延びる脚部と、
を備え、
前記タッチパネルへの装着時に前記脚部が前記操作パネルの接合部に接合することで、前記ガイド切欠部が前記表示装置の画面の所定位置に配置されること、
を特徴とするガイドカバー。
【請求項６】
前記プレート部および前記脚部は、セラミック材料で一体的に構成され、
プレート部１１および脚部１２の、装着時に前記タッチパネルに対向する面、および装着時に前記接合部に接触する箇所に、導電層が設けられていること、
を特徴とする請求項５記載のガイドカバー。
【発明の詳細な説明】
【技術分野】
【０００１】
本発明は、電子機器およびガイドカバーに関するものである。
【背景技術】
【０００２】
近年、電子機器における入力装置として、液晶ディスプレイなどの表示装置上に配置されたタッチパネルが多く使用されている。表示装置上にタッチパネルを配置することで、ソフトキーなどの操作部の画像が表示装置で表示され、その操作部の画像へ向けたユーザー操作がタッチパネルで検出される。
【０００３】
ある技術では、タッチパネル入力装置に、ガイド孔を形成された平板状のガイドプレートを装着すると、ガイド孔が、タッチパネル入力装置に表示されているキーの位置に配置されるようになっている（例えば、特許文献１参照）。これは、隣接するキーに対する誤入力を減らすことを目的としている。
【先行技術文献】
【特許文献】
【０００４】
【特許文献１】特開２００６−２４４０３０号公報
【発明の概要】
【発明が解決しようとする課題】
【０００５】
近年、多点複数入力のタッチパネルが多く使用されている。多点複数入力を実現する方法としては、指先を近付けた際の静電容量の変化を検知する静電方式と、透明電極を２枚重ねて押下した際の電圧を検知する抵抗膜方式とが、主に使用されている。
【０００６】
上述の技術では、平板状のガイドプレートをタッチパネル上に配置しているだけであるので、静電方式のタッチパネルの場合、ガイドプレートが存在しても、静電容量の変化が検出されるため、誤入力が発生してしまう。また、抵抗膜方式のタッチパネルの場合でも、平板状のガイドプレートが強く押されると、ガイドプレートが弾性変形するため、誤入力が発生してしまう。
【０００７】
本発明は、上記の問題に鑑みてなされたものであり、誤入力の発生を減らすことができるガイドカバーおよびガイドカバーを有する電子機器を得ることを目的とする。
【課題を解決するための手段】
【０００８】
本発明に係る電子機器は、表示装置の画面上に配置されるタッチパネルに対して着脱可能なガイドカバーと、前記タッチパネルと接合部とを有する操作パネルとを備える。前記ガイドカバーは、ガイド切欠部を形成されたプレート部と、前記プレート部から延びる脚部とを有する。そして、前記ガイドカバーの前記脚部が前記操作パネルの接合部に接合することで、前記ガイド切欠部が前記表示装置の画面の所定位置に配置される。
【０００９】
本発明に係るガイドカバーは、表示装置の画面上に配置されるタッチパネルに対して着脱可能なガイドカバーであって、ガイド切欠部を形成されたプレート部と、前記プレート部から延びる脚部とを備える。そして、前記タッチパネルへの装着時に前記脚部が前記操作パネルの接合部に接合することで、前記ガイド切欠部が前記表示装置の画面の所定位置に配置される。
【発明の効果】
【００１０】
本発明によれば、入力装置にタッチパネルを使用している場合の誤入力の発生を減らすことができる。
【図面の簡単な説明】
【００１１】
【図１】図１は、本発明の実施の形態１に係る電子機器におけるガイドカバーを示す斜視図である。
【図２】図２は、本発明の実施の形態１に係る電子機器におけるガイドカバーを示す背面図である。
【図３】図３は、本発明の実施の形態１に係る電子機器における操作パネルを示す上面図である。
【図４】図４は、図３に示す操作パネルに表示されるソフトキー群の一例を示す図である。
【図５】図５は、図４に示すようにソフトキー群を表示中の操作パネル１０１にガイドカバー１が装着された状態を示す図である。
【図６】図６は、本発明の実施の形態３に係る電子機器の電気的な構成例を示すブロック図である。
【図７】図７は、実施の形態４におけるガイドカバー１の一例を示す断面図である。
【発明を実施するための形態】
【００１２】
以下、図に基づいて本発明の実施の形態を説明する。
【００１３】
実施の形態１．
【００１４】
図１は、本発明の実施の形態１に係る電子機器におけるガイドカバーを示す斜視図である。図２は、本発明の実施の形態１に係る電子機器におけるガイドカバーを示す背面図である。
【００１５】
図１および図２に示すガイドカバー１は、実施の形態１に係る電子機器の表示装置の画面上に配置されるタッチパネルに対して着脱可能なものである。
【００１６】
ガイドカバー１は、プレート部１１と、脚部１２とを有する。
【００１７】
プレート部１１は、略長方形の平板形状を有し、その略長方形の１つの長辺に１または複数のガイド切欠部２１を形成されている。ガイド切欠部２１は、ユーザーの指先をソフトキーなどに誘導するためのものであり、ユーザーの指先よりやや大きめのサイズの略長方形の形状を有する。
【００１８】
脚部１２は、プレート部１１から略垂直方向に屈曲して延びている。実施の形態１では、脚部１２は、上述の略長方形のガイド切欠部２１がない３つの辺から延びており、その３つの辺から延びる枠を形成している。
【００１９】
なお、プレート部１１および脚部１２は一体の部材として形成されてもよいし、別の部材として形成し両者を接続するようにしてもよい。
【００２０】
実施の形態１では、タッチパネルは、静電方式のタッチパネルであり、ガイドカバー１のプレート部１１および脚部１２は、金属などの導電性材料で構成されている。
【００２１】
図３は、本発明の実施の形態１に係る電子機器における操作パネルを示す上面図である。
【００２２】
図３に示す操作パネル１０１は、例えば、複合機などの画像形成装置の操作パネルである。
【００２３】
操作パネル１０１は、表示装置１１１と、タッチパネル１１２と、接合部１１３とを備える。
【００２４】
表示装置１１１は、例えば液晶ディスプレイパネルであり、タッチパネル１１２は、その表示装置１１１の画面上に配置されている。
【００２５】
接合部１１３は、ガイドカバー１の脚部１２の先端形状と略同形状の溝である。そして、ガイドカバー１の脚部１２が操作パネル１０１の接合部１１３に接合することで、ガイド切欠部２１が表示装置１１１の画面の所定位置における画面上方に配置されるように、ガイド切欠部２１および／または表示装置１１１におけるソフトキー画像の表示位置が調整されている。
【００２６】
さらに、実施の形態１では、操作パネル１０１の接合部１１３は、例えば金属といった導電性部材であり接地電位に接続されている接触部を有する。そして、ガイドカバー１の脚部１２が操作パネル１０１の接合部１１３に接合すると、その接触部がガイドカバー１の脚部１２に接触し、ガイドカバー１のプレート部１１の電位が接地電位となる。これにより、実施の形態１では、タッチパネル１１２が静電方式のタッチパネルであるので、プレート部１１が静電シールドとして機能し、このガイドカバー１を使用するユーザー（例えば視覚障害者）にとって操作が不要なソフトキーがマスクされる。
【００２７】
図４は、図３に示す操作パネルに表示されるソフトキー群の一例を示す図である。図５は、図４に示すようにソフトキー群を表示中の操作パネル１０１にガイドカバー１が装着された状態を示す図である。例えば図４に示すようにソフトキー１２１，１２２が表示されている場合に、ガイドカバー１を操作パネル１０１に装着すると、図５に示すように、ソフトキー１２２はマスクされるとともに、ガイド切欠部２１によってユーザーの指先がソフトキー１２１上にガイドされる。そして、誤ってユーザーが、ソフトキー１２２の位置でガイドカバー１を指で押下しても、ガイドカバー１による静電シールドによってタッチパネル１１２は静電容量の変化を検出しないため、誤入力が発生しない。
【００２８】
以上のように、上記実施の形態１によれば、ガイドカバー１は、表示装置１１１の画面上に配置されるタッチパネル１１２に対して着脱可能であって、操作パネル１０１は、タッチパネル１１２と接合部１１３とを有する。そして、ガイドカバー１は、ガイド切欠部２１を形成されたプレート部１１と、プレート部１１から延びる脚部１２とを有する。そして、ガイドカバー１の脚部１２が操作パネル１０１の接合部１１３に接合することで、ガイド切欠部２１が表示装置１１１の画面の所定位置に配置される。
【００２９】
これにより、脚部１２と接合部１１３との接合によってガイド切欠部２１が正確に位置決めされるとともに、プレート部１１に脚部１２を設けているため、プレート部１１の剛性が高くなり、ガイド切欠部２１の配置位置のズレおよびプレート部１１の変形に起因する誤入力の発生を減らすことができる。
【００３０】
さらに、実施の形態１によれば、ガイドカバー１の静電シールドによって静電方式のタッチパネル１１２に対する誤入力の発生を減らすことができる。
【００３１】
実施の形態２．
【００３２】
本発明の実施の形態２に係る電子機器では、タッチパネル１１２が抵抗膜方式のタッチパネルであり、ガイドカバー１のプレート部１１および脚部１２は、例えばファインセラミックなどのセラミック材料で一体的に構成されている。なお、この場合、接合部１１３の接触部は不要である。
【００３３】
実施の形態２では、ガイドカバー１の脚部１２が操作パネル１０１の接合部１１３に接合すると、プレート部１１がタッチパネル１１２から離間した位置で固定される。これにより、このガイドカバー１を使用するユーザー（例えば視覚障害者）にとって操作が不要なソフトキーがマスクされる。
【００３４】
実施の形態２では、撓み難い硬質な材質でガイドカバー１が構成されているため、誤ってユーザーが、操作不要なソフトキーの位置でガイドカバー１を指で押下しても、ガイドカバー１のプレート部１１は撓まず、タッチパネル１１２は、接触を検出しないため、誤入力が発生しない。
【００３５】
なお、実施の形態２に係る電子機器におけるその他の構成については実施の形態１と同様であるので、その説明を省略する。
【００３６】
以上のように、上記実施の形態２によれば、脚部１２と接合部１１３との接合によってガイド切欠部２１が正確に位置決めされるとともに、プレート部１１に脚部１２を設けているため、プレート部１１の剛性が高くなり、ガイド切欠部２１の配置位置のズレおよびプレート部１１の変形に起因する誤入力の発生を減らすことができる。
【００３７】
さらに、実施の形態２によれば、ガイドカバー１の剛性によって抵抗膜方式のタッチパネル１１２に対する誤入力の発生を減らすことができる。
【００３８】
実施の形態３．
【００３９】
本発明の実施の形態３に係る電子機器は、実施の形態１または実施の形態２に係る電子機器と同様の構成を有し、さらに、ガイドカバー１の装着を検出すると表示装置１１１の画面モードを切り替えるようにしたものである。
【００４０】
図６は、本発明の実施の形態３に係る電子機器の電気的な構成例を示すブロック図である。図６に示すように、実施の形態３に係る電子機器は、カバー検出部１４１と、コントローラー１４２とをさらに有する。
【００４１】
カバー検出部１４１は、ガイドカバー１の脚部１２が操作パネル１０１の接合部１１３に接合したことを検出する。例えば、カバー検出部１４１は、接合部１１３に設置されたスイッチを有し、ガイドカバー１の脚部１２が操作パネル１０１の接合部１１３に接合していないときは、そのスイッチがオフ（またはオン）し、ガイドカバー１の脚部１２が操作パネル１０１の接合部１１３に接合していると、物理的な両者の接触によってそのスイッチがオン（またはオフ）する。
【００４２】
コントローラー１４２は、表示装置の画面モードを切り替える。さらに、コントローラー１４２は、カバー検出部１４１により脚部１２が接合部１１３に接合したことが検出されている期間は、第１の画面モードを選択し、カバー検出部１４１により脚部１２が接合部１１３に接合したことが検出されていない期間は、第２の画面モードを選択する。
【００４３】
例えば、第２の画面モードは、標準の画面モードであり、第１の画面モードは、いわゆるユニバーサルモードであって、視覚障害者などのために、ソフトキーのサイズが標準の画面モードより大きくされ、ソフトキーの配置間隔も広くされる。
【００４４】
以上のように、上記実施の形態３によれば、ガイドカバー１の装着によって、誤入力の発生が少なくなるとともに、自動的に画面モードを切り替えることができる。
【００４５】
実施の形態４．
【００４６】
本発明の実施の形態４に係る電子機器は、実施の形態１と同様の操作パネル１０１を有し、さらに、実施の形態４におけるガイドカバー１は、実施の形態２と同様のガイドカバー１の内側表面に導電層を形成したものである。
【００４７】
図７は、実施の形態４におけるガイドカバー１の一例を示す断面図である。図７に示すように、実施の形態４におけるガイドカバー１のプレート部１１および脚部１２の、装着時にタッチパネル１１２に対向する面、および装着時に接合部１１３の接触部に接触する箇所に、導電層（例えば金属箔などで形成される金属層）４１が設けられる。
【００４８】
このようにすることで、実施の形態４におけるガイドカバー１は、実施の形態１と同様の静電シールドと実施の形態２と同様の剛性とを併せ持つため、タッチパネル１１２が静電方式である操作パネル１０１およびタッチパネル１１２が抵抗膜方式である操作パネル１０１のどちらにも使用可能である。
【００４９】
以上のように、上記実施の形態４に係るガイドカバー１は、タッチパネル１１２が静電方式である操作パネル１０１およびタッチパネル１１２が抵抗膜方式である操作パネル１０１のどちらにも使用可能なものである。
【００５０】
したがって、オフィスなどで、タッチパネル１１２が静電方式である電子機器とタッチパネル１１２が抵抗膜方式である電子機器とが混在して設置されている場合でも、ユーザーは、静電方式用のガイドカバーと抵抗膜方式用のガイドカバーの両方を使用する必要がない。
【００５１】
なお、上述の各実施の形態は、本発明の好適な例であるが、本発明は、これらに限定されるものではなく、本発明の要旨を逸脱しない範囲において、種々の変形、変更が可能である。
【００５２】
例えば、上記実施の形態１において、２つのガイド切欠部２１の間の突出部２２にも脚部１２を設けるようにしてもよい。
【００５３】
また、上記実施の形態１〜４において、ガイド切欠部２１の縁から所定の範囲においてその縁から遠くなるほど、プレート部１１の厚さが大きくなるようにしてもよい。このようにすることで、ユーザーの指先が、ガイド切欠部２１へガイドされやすくなる。
【００５４】
さらに、上記実施の形態１〜４において、プレート部１１の表面に点字でソフトキーの説明などを表示するようにしてもよい。
【産業上の利用可能性】
【００５５】
本発明は、例えば、画像形成装置に適用可能である。
【符号の説明】
【００５６】
１  ガイドカバー
１１  プレート部
１２  脚部
２１  ガイド切欠部
１０１  操作パネル
１１１  表示装置
１１２  タッチパネル
１１３  接合部
１４１  カバー検出部
１４２  コントローラー
【図１】
2015153263.tif 000003
【図２】
2015153263.tif 000004
【図３】
2015153263.tif 000005
【図４】
2015153263.tif 000006
【図５】
2015153263.tif 000007
【図６】
2015153263.tif 000008
【図７】
2015153263.tif 000009